(57)【要約】【課題】スライド式のスライド構造体の移動時にワイヤハーネスの垂れ下がりや曲がり等を防止してスムーズで確実なスライド操作を行わせる。【解決手段】ワイヤハーネス３をＵ字状に折り返し収容するケースＣと、ワイヤハーネスの移動端側を保持してケースに係合したスライダ６と、折り返し部３ｂに摺接自在に係合し、且つワイヤハーネスの内側面を支持する支持板本体７を有するハーネス支持部材４とを備えるスライド用給電装置１を採用する。支持板本体７をケースにスライド自在に係合させた。折り返し部３ｂに摺接自在に係合する部分を一対のガイド板３４，３５又はプーリ３７と対向する小ローラ３８又はプーリ３７と対向するガイド板３５とした。支持板本体７とスライダ６との間に引張弾性部材４４を配設した。ハーネス支持部材４’をケースＣの短辺側の壁部寄りのガイド部５０やスライド部で摺動させた。【選択図】図１
2006074980.tif 000002
【特許請求の範囲】
【請求項１】
ワイヤハーネスを略Ｕ字状に折り返して収容するケースと、該ワイヤハーネスの移動端側を保持して該ケースにスライド自在に係合したスライダと、該ワイヤハーネスの折り返し部に摺接自在に係合し、且つ該ワイヤハーネスの内側面を支持する支持板本体を有するハーネス支持部材とを備えることを特徴とするスライド用給電装置。
【請求項２】
前記支持板本体が前記ケースにスライド自在に係合したことを特徴とする請求項１記載のスライド用給電装置。
【請求項３】
前記ケースの短辺側の壁部寄りにガイド部が設けられ、該ガイド部に前記ハーネス支持部材のスライド係合部がスライド自在に係合したことを特徴とする請求項１記載のスライド用給電装置。
【請求項４】
前記ケースの短辺側の壁部寄りにおいて前記ハーネス支持部材にスライド部が設けられ、該スライド部が該ケースの内壁面に摺接自在であることを特徴とする請求項１記載のスライド用給電装置。
【請求項５】
前記折り返し部に摺接自在に係合する部分が一対のガイド板であることを特徴とする請求項１〜４の何れかに記載のスライド用給電装置。
【請求項６】
前記折り返し部に摺接自在に係合する部分がプーリと対向する小ローラとであることを特徴とする請求項１〜４の何れかに記載のスライド用給電装置。
【請求項７】
前記折り返し部に摺接自在に係合する部分がプーリと対向するガイド板とであることを特徴とする請求項１〜４の何れかに記載のスライド用給電装置。
【請求項８】
前記支持板本体と前記スライダとの間に引張弾性部材が配設されたことを特徴とする請求項１〜７の何れかに記載のスライド用給電装置。
【請求項９】
前記ワイヤハーネスの外周を網チューブで覆って、該網チューブを前記支持板本体に点接触又は線接触させることを特徴とする請求項１〜８の何れかに記載のスライド用給電装置。
【請求項１０】
前記ケースが幅狭部と幅広部とで構成され、前記折り返し部に摺接自在に係合する部分が該幅広部内に位置し、前記支持板本体が該幅狭部内に進入可能であることを特徴とする請求項１〜９の何れかに記載のスライド用給電装置。
【発明の詳細な説明】
【技術分野】
【０００１】
本発明は、自動車のスライドドアやスライドシート等のロングスライド式のスライド構造体に対応して、ケース内に略Ｕ字状に折り返して配索した長いワイヤハーネスの曲がり等を確実に防止するスライド用給電装置に関するものである。
【背景技術】
【０００２】
図１５は従来の給電装置の一形態を示すものである（特許文献１参照）。
【０００３】
この給電装置６１は自動車のスライドドアに搭載されるものであり、フラットワイヤハーネス６２を略Ｕ字状に屈曲させて収容する長尺のケース６３と、フラットワイヤハーネス６２の外面に設けられた可撓性の補強板６４と、フラットワイヤハーネス６２の移動端側に設けられたスライダ６５と、スライダ６５を摺動自在に係合させるレール部６６とを備えている。
【０００４】
補強板６４は薄い鋼材で形成され、ケース６３の磁化された壁部６７に吸着してフラットワイヤハーネス６２の垂れ下がりを防止する。フラットワイヤハーネス６２の移動端はスライダ６５において車両ボディ側に続くワイヤハーネス６８にコネクタ接続され、固定端はスライドドア側のワイヤハーネス６９に接続されている。
【０００５】
スライドドアの開閉に伴ってスライダ６５がレール部６６を進退し、フラットワイヤハーネス６２は略Ｕ字状に屈曲したままスライダ６５と一体に進退して、スライドドアの開閉ストロークを吸収する。これにより、車両ボディ側からスライドドアの各補機に電源や電気信号が常時供給される。
【特許文献１】特開平１１−３４２８０７号公報（図２）
【発明の開示】
【発明が解決しようとする課題】
【０００６】
しかしながら、上記従来の給電装置６１にあっては、ワイヤハーネスとしてフラットワイヤハーネス６２を使用しているために、回路数や供給電流に制限があり、また、補強板６４に鋼材を使用し、ケース６３の壁部６７を磁化させて補強板６４を磁着させるといった複雑な構造によってコスト高になるという問題があった。
【０００７】
そこで、フラットワイヤハーネス６２ではなく通常の断面円形や長円形のワイヤハーネスを用いてその剛性によってワイヤハーネスの垂れ下がりを防止する給電装置（図示せず）が提案された。
【０００８】
しかしながら、この給電装置にあっては、スライドストロークが短い場合はよいが、図１６〜図１８に示す自動車のロングスライドドアやロングスライドシートに適用する給電装置７１のようにスライドストロークが長い場合においては、スライドドアやスライドシートといったスライド構造体の移動に伴って、図１７の如くワイヤハーネス７２が移動途中で垂れ下がったり曲がったりして、それ以上スライドさせようとしても図１８の如くワイヤハーネス７２が幾重にも折れ曲がって、それ以上のスライド操作を行うことができなくなってしまうという懸念があった。図１６で符号７３はスライダ、７４はケースをそれぞれ示している。
【０００９】
本発明は、上記した点に鑑み、ロングスライドドアやロングスライドシート等のスライド構造体の移動時にワイヤハーネスの垂れ下がりや曲がり等を起こすことがなく、スムーズで確実なスライド操作を可能とするスライド用給電装置を提供することを目的とする。
【課題を解決するための手段】
【００１０】
上記目的を達成するために、本発明の請求項１に係るスライド用給電装置は、ワイヤハーネスを略Ｕ字状に折り返して収容するケースと、該ワイヤハーネスの移動端側を保持して該ケースにスライド自在に係合したスライダと、該ワイヤハーネスの折り返し部に摺接自在に係合し、且つ該ワイヤハーネスの内側面を支持する支持板本体を有するハーネス支持部材とを備えることを特徴とする。
【００１１】
上記構成により、ワイヤハーネスがケース内で略Ｕ字状に折り返され、ワイヤハーネスの折り返し部にハーネス支持部材の一部が摺接自在に係合し、ワイヤハーネスの内側面にハーネス支持部材の支持板本体が接し、スライダと一体にワイヤハーネスが移動し、ワイヤハーネスと一体的にスライダの移動方向にスライダの半分の距離でハーネス支持部材が移動する。スライダの移動に際してワイヤハーネスが支持板本体で面接触ないし線接触又は複数の点接触で安定に支持されることで、ワイヤハーネスの垂れ下がりや曲がりが防止され、スライダが引っ掛かり等なくスムーズに移動する。ワイヤハーネスはスライダに続く往部と折り返し部に続く復部とで構成される。
【００１２】
請求項２に係るスライド用給電装置は、請求項１記載のスライド用給電装置において、前記支持板本体が前記ケースにスライド自在に係合したことを特徴とする。
【００１３】
上記構成により、支持板本体がケースに沿って安定に位置決めされつつスムーズに進退する。例えば支持板の両側端をケースのガイド部であるスリット孔や溝にスライド自在に係合させる。
【００１４】
請求項３に係るスライド用給電装置は、請求項１記載のスライド用給電装置において、前記ケースの短辺側の壁部寄りにガイド部が設けられ、該ガイド部に前記ハーネス支持部材のスライド係合部がスライド自在に係合したことを特徴とする。
【００１５】
上記構成により、ケースが例えば厚さ方向に押圧される外力を受けたり、ケースの長辺側の壁部が内向きに反り変形した場合等において、ガイド部やスライド係合部がケースの短辺側の壁部寄り（短辺側の壁部又は短辺側の壁部の近傍）に設けられているから、ガイド部やスライド係合部が外力や反り等の影響を受けず、ガイド部とスライド係合部とのスライド動作が低い摩擦力でスムーズに行われる。
【００１６】
請求項４に係るスライド用給電装置は、請求項１記載のスライド用給電装置において、前記ケースの短辺側の壁部寄りにおいて前記ハーネス支持部材にスライド部が設けられ、該スライド部が該ケースの内壁面に摺接自在であることを特徴とする。
【００１７】
上記構成により、ケースが例えば厚さ方向に押圧される外力を受けたり、ケースの長辺側の壁部が内向きに反り変形した場合等において、ハーネス支持部材のスライド部がケースの短辺側の壁部寄りに配置されているから、スライド部が外力や反り等の影響を受けず、スライド部とケースの内壁面との摺動が低い摩擦力でスムーズに行われる。
【００１８】
請求項５に係るスライド用給電装置は、請求項１〜４の何れかに記載のスライド用給電装置において、前記折り返し部に摺接自在に係合する部分が一対のガイド板であることを特徴とする。
【００１９】
上記構成により、スライダの移動に伴って一対のガイド板の間でワイヤハーネスの折り返し部がスムーズに摺接しつつ片方のガイド板をスライダの移動方向に押圧し、ハーネス支持部材をスライダの移動方向にスライダの半分の移動距離で移動させる。
【００２０】
請求項６に係るスライド用給電装置は、請求項１〜４の何れかに記載のスライド用給電装置において、前記折り返し部に摺接自在に係合する部分がプーリと対向する小ローラとであることを特徴とする。
【００２１】
上記構成により、スライダの移動に伴ってプーリと小ローラとの間でワイヤハーネスの折り返し部がスムーズに摺接しつつプーリ又は小ローラをスライダの移動方向に押圧し、ハーネス支持部材をスライダの移動方向にスライダの半分の移動距離で移動させる。小ローラは複数であっても一つであってもよい。
【００２２】
請求項７に係るスライド用給電装置は、請求項１〜４の何れかに記載のスライド用給電装置において、前記折り返し部に摺接自在に係合する部分がプーリと対向するガイド板とであることを特徴とする。
【００２３】
上記構成により、スライダの移動に伴ってプーリとガイド板との間でワイヤハーネスの折り返し部がスムーズに摺接しつつプーリ又はガイド板をスライダの移動方向に押圧し、ハーネス支持部材をスライダの移動方向にスライダの半分の移動距離で移動させる。
【００２４】
請求項８に係るスライド用給電装置は、請求項１〜７の何れかに記載のスライド用給電装置において、前記支持板本体と前記スライダとの間に引張弾性部材が配設されたことを特徴とする。
【００２５】
上記構成により、スライダの移動に伴って引張弾性部材が引っ張られて伸長しつつ、ハーネス支持部材をスライダの移動方向に弾性的に付勢し、ワイヤハーネスの折り返し部をハーネス支持部材の摺接自在に係合した部分がスライダの移動方向に押圧し、スライダと摺接自在に係合した部分との間でワイヤハーネスが弛みなくピンと張った状態に維持される。
【００２６】
請求項９に係るスライド用給電装置は、請求項１〜８の何れかに記載のスライド用給電装置において、前記ワイヤハーネスの外周を網チューブで覆って、該網チューブを前記支持板本体に点接触又は線接触させることを特徴とする。
【００２７】
上記構成により、スライダの進退動作に伴って合成樹脂製の網チューブがハーネス支持部材の支持板本体やガイド板等に点接触ないし線接触といった小さな接触面積による小さな摩擦抵抗でスムーズに摺接する。ワイヤハーネスの保護チューブとして複数本の電線の上に網チューブを単独で被せて用いてもよく、あるいは他のコルゲートチューブ等の上に網チューブを被せて用いてもよい。
【００２８】
請求項１０に係るスライド用給電装置は、請求項１〜９の何れかに記載のスライド用給電装置において、前記ケースが幅狭部と幅広部とで構成され、前記折り返し部に摺接自在に係合する部分が該幅広部内に位置し、前記支持板本体が該幅狭部内に進入可能であることを特徴とする。
【００２９】
上記構成により、ケースの幅狭部内に支持板本体がワイヤハーネスと共に進入し、幅狭部内でワイヤハーネスを安定に支持し、幅狭部内でのワイヤハーネスの曲がりが確実に防止される。幅狭部においては支持板本体の他に幅狭部の内壁面でワイヤハーネスを大きな曲がりなく支持可能となる。この幅狭部と幅広部とでケースの全長が拡大され、ロングスライドに容易に対応可能となる。
【発明の効果】
【００３０】
請求項１記載の発明によれば、ハーネス支持部材の支持板本体がワイヤハーネスに長い距離で接触してワイヤハーネスの垂れ下がりや曲がりを確実に防止するから、スライダのロングスライドに伴ってケース内でワイヤハーネスが座屈することがなく、スムーズなロングスライド操作が可能となり、ロングスライド式のスライド構造体への常時給電の信頼性が向上する。
【００３１】
請求項２記載の発明によれば、支持板本体の傾きや位置ずれが防止され、支持板本体によるワイヤハーネスの支持が確実に行われ、請求項１記載の発明の効果が促進される。
【００３２】
請求項３記載の発明によれば、ケースが潰れ方向の外力や変形を受けた場合でも、ハーネス支持部材のスライド動作が引っ掛かり等なくスムーズに行われ、請求項１記載の発明の効果が促進されると共に、スライダの操作力すなわちスライド構造体の操作力が低く確保される。
【００３３】
請求項４記載の発明によれば、ケースが潰れ方向の外力や変形を受けた場合でも、ハーネス支持部材のスライド動作が引っ掛かり等なくスムーズに行われ、請求項１記載の発明の効果が促進されると共に、スライダの操作力すなわちスライド構造体の操作力が低く確保される。
【００３４】
請求項５記載の発明によれば、スライダの移動に伴ってハーネス支持部材を矯正的に且つスムーズに移動させることができ、スライダのスライド動作がスムーズ化される。
【００３５】
請求項６記載の発明によれば、スライダの移動に伴ってワイヤハーネスの折り返し部との摺動抵抗が低減されて、ハーネス支持部材が矯正的に且つ一層スムーズに移動され、スライダのスライド動作が一層スムーズ化される。
【００３６】
請求項７記載の発明によれば、スライダの移動に伴ってワイヤハーネスの折り返し部との摺動抵抗が低減されて、ハーネス支持部材が矯正的に且つ一層スムーズに移動され、スライダのスライド動作が一層スムーズ化される。
【００３７】
請求項８記載の発明によれば、引張弾性部材がハーネス支持部材をスライダ移動方向に付勢してワイヤハーネスを弛み等なくピンと張った状態に維持するから、ワイヤハーネスの垂れ下がりや曲がりが一層確実に防止され、請求項１記載の発明の効果が一層促進される。
【００３８】
請求項９記載の発明によれば、網チューブによって支持板本体との摩擦抵抗が減ってワイヤハーネスの伸縮が一層スムーズに行われ、操作性の向上と請求項１記載の発明の効果の促進がなされる。
【００３９】
請求項１０記載の発明によれば、支持板本体又は支持板本体とケースの内壁面とでワイヤハーネスを支える幅狭部を加えることで、ケースの全長が拡大され、ロングスライド化に容易に対応可能となる。
【発明を実施するための最良の形態】
【００４０】
図１〜図３は、本発明に係るスライド用給電装置の第一の実施形態を示すものである。
【００４１】
このスライド用給電装置１は、長尺のケース（符号２で代用）と、ケース内に略Ｕ字ないしＪ字状に屈曲して配索される断面円形又は長円形のワイヤハーネス３と、ワイヤハーネス３の一端側（移動端）を保持してケースに沿って長手方向にスライド自在に設けられたスライダ６と、ワイヤハーネス３の屈曲部（折り返し部）３ｂに摺接自在に係合しつつワイヤハーネス３を面接触ないし線接触で支持してケースに沿ってスライド自在なハーネス支持部材４とを備えたものである。
【００４２】
ケースは合成樹脂製又は金属製のケース本体２とカバー（図示せず）とで構成され、これらは前半の幅狭部２ａと、中間の段差部８を介して続く後半の幅広部２ｂとを備えている。カバー（図示せず）はケース本体２の正面側の開口を覆う板状のものであり、ケース本体２とカバーとは係止突起と係合凹部等の係止手段やボルトとナット等の締付手段等で相互に固定される。
【００４３】
ケース本体２はベース壁９と、ベース壁９の周囲に立ち上げられた周壁としての各壁部１０〜１４とで構成され、ベース壁９は前半の幅狭部と後半の幅広部を有し、ベース壁９とカバー（図示せず）との幅狭部の中間部から幅広部の後端側にかけて、ハーネス支持部材４の支持板本体７の両側端をスライド自在に係合させるガイド部１７としての長溝又は長孔が設けられている。ガイド部１７は幅狭部２ａの下半側から幅広部２ｂの上部側にかけて真直に位置している。
【００４４】
図１でケース本体２の上側の壁部１０に、スライダ６をスライド自在に案内するガイド部１８としてのスリット状の長孔が設けられ、ガイド部１８にスライダ６の高さ方向中間の溝部１９がスライド自在に係合し、スライダ６の上半部はケース本体２の外部に露出し、下半部はケース本体２の幅狭部２ａ内に位置している。スライダ６にワイヤハーネス３の移動端側のハーネス部分２０が略Ｌ字状に屈曲して貫通され、ハーネス部分２０の先端に接続用のコネクタ２１が設けられている。なお、本明細書における上下前後等の方向は説明の便宜上のものであり、必ずしも給電装置１の実使用方向と一致するものではない。
【００４５】
ケース本体２の幅狭部２ａは段差部８に続く下側の壁部１１と前端壁１３とベース壁と上側の壁部１０を有し、ケース本体２の幅広部２ｂは下側の壁部１２と段差側の前端壁（符号８で代用）と後端壁１４（図２）とベース壁９と上側の壁部１０とを有し、ベース壁９と上側の壁部１０は共に幅狭部２ａと幅広部２ｂとにおいて同一平面で延長されている。
【００４６】
図１のスライダ６の前進端位置でワイヤハーネス３はスライダ６からケース本体２の幅狭部２ａの前端側から幅広部２ｂの前端側にかけて上側の壁部１０の内面に沿って配索されつつ、ハーネス支持部材４で曲がりなく面接触ないし線接触で安定に支持され、幅広部２ｂの前端寄りで略Ｕ字状に屈曲して下側の壁部１２に沿って配索されつつ段差側の壁部８の開口２２から外部に導出されている。
【００４７】
ハーネス支持部材４は図１で水平な長方形ないし帯板状の支持板本体７と、支持板本体７の後端部の一側端において垂直に直交して続く連結板３３と、連結板３３の後端部の内面に突設された前後一対の対向する円弧状のガイド板３４，３５とで構成されるものである。
【００４８】
支持板本体７の上側面（外側面）にワイヤハーネス３の上側部分（凹部）３ａの下側面（内側面）が面接触ないし長手方向の線接触で支持され、一対のガイド板３４，３５の間にワイヤハーネス３の屈曲部３ｂが挟まれるように摺接自在に係合し、ワイヤハーネス３の屈曲部３ｂと一体的にハーネス支持部材４が同方向に移動自在となっている。連結板３３はケース本体２のベース壁９の内面に摺接してハーネス支持部材４の姿勢を安定させる。
【００４９】
ワイヤハーネス３は外周に合成樹脂製の既存のコルゲートチューブ２６（図１２参照）を有し、コルゲートチューブ２６は凸条２６ａと凹溝２６ｂとを交互に有して良好な屈曲性を発揮する。コルゲートチューブ２６はスライダ６からケース本体２の開口２２までの範囲で設けられている。コルゲートチューブ２６の内側に複数本の絶縁被覆電線が収容されてワイヤハーネス３が構成されている。
【００５０】
ワイヤハーネス３が断面円形のコルゲートチューブ２６を有する場合、コルゲートチューブ２６はハーネス支持部材４の支持板本体７に長手方向の線接触で安定に支持される。断面長円形のコルゲートチューブの場合は支持板本体７に面接触で安定に支持される。コルゲートチューブ２６を用いずに複数本の電線をテープ巻きで束ねてワイヤハーネスを構成した場合、ワイヤハーネスは線接触ないし面接触で支持板本体７に安定に支持される。
【００５１】
図１のスライダ６の前進端位置において、ワイヤハーネス３の上側部分（往部）３ａの後半部にハーネス支持部材４の支持板本体７が位置して、ワイヤハーネス３の上側部分３ａを垂れ下がりや曲がりなく安定に支持している。ワイヤハーネス３の上側部分３ａの前半部はハーネス支持部材４で直接支持されないが、スライダ６とハーネス支持部材４の前端７ａとの間で両持ち支持されることで、垂れ下がりや曲がりが防止される。
【００５２】
たとえワイヤハーネス３の上側部分３ａが垂れ下がりや曲がりを生じてもケース本体２の幅狭部２ａの下側の壁部１１でワイヤハーネス３が大きな垂れ下がり等なく支持されるから、何ら問題はない。従ってケース本体２の幅狭部２ａの長さを所望の長さに延長することができ、どのような長さのスライド量にも対応することができる。
【００５３】
図１の状態からスライドドアやスライドシートといったスライド構造体（図示せず）をスライドさせるに伴って、図２の如く、スライダ６が後方に移動し、スライダ６と一体にワイヤハーネス３の上側部分３ａが後方に移動してケース本体２の幅広部２ｂ内に繰り出され、ワイヤハーネス３と一体にハーネス支持部材４が後方に移動して、幅広部内でワイヤハーネス３の上側部分３ａを面接触ないし線接触で安定に支持する。ハーネス支持部材４の一対のガイド板３４，３５の間をワイヤハーネス３の屈曲部（折り返し部）３ｂが摺動しつつ、屈曲部３ｂと一体的にガイド板３４，３５が後方に移動し、ガイド板３４，３５と一体に支持板本体７がワイヤハーネス３を支持しつつ同方向に移動する。
【００５４】
図２の如くスライダ６がケース本体２の段差部８の手前近傍に位置した時点で、ワイヤハーネス３の上側部分３ａの長さがほぼ最大となり、最も垂れ下がりや曲がりを起こしやすい状態となるが、支持板本体７の前端７ａがほぼ段差部８上に位置し、支持板本体７の後端７ｂはワイヤハーネス３の屈曲部３ｂの近傍に位置して（この位置はスライド中で常に一定である）、支持板本体７がケース本体７の幅広部内でワイヤハーネス３の上側部分３ａをほぼ全長に渡って安定に支持する。これにより、ワイヤハーネス３の垂れ下がりや曲がり等が確実に防止され、スライダ６のスライド動作が引っ掛かり等なくスムーズに行われる。
【００５５】
スライダ６が図２の状態から図３の如く後退端位置まで移動することで、ワイヤハーネス３の上側部分３ａは最も短縮されて、垂れ下がり等の発生はなくなり、ワイヤハーネス３の下側部分（復部）３ｃがケース本体２の下側の壁部１２に沿って長く延長される。ワイヤハーネス３の下側部分３ｃは固定側の部分であるので、曲がり等を起こすことはない。ハーネス支持部材４の支持板本体７はケース本体２の幅広部内でスライダ６の前方に突出して位置し、ガイド板３５がワイヤハーネス３の屈曲部３ｂと共にケース本体２の後端壁１４に近接して位置する。
【００５６】
図３の状態からスライダ６を逆向きに（前方に）移動させることで、ワイヤハーネス３の上側部分３ａの長さが増して、図２の中間位置でハーネス支持部材４がワイヤハーネス３の上側部分３ａをほぼ全長に渡って支持して垂れ下がりや曲がりを防止し、図１の如くスライダ６が引っ掛かりなく前進端にスムーズに移動する。
【００５７】
スライダ６の移動距離に対してワイヤハーネス３の屈曲部３ｂの移動距離すなわちハーネス支持部材４の移動距離はその半分であり、スライダ６やワイヤハーネス３の屈曲部３ｂの位置は一次関数的（正比例で）に変化する。これに対し、ケース本体２の幅広部２ｂ内でのワイヤハーネス３の上側部分３ａの中央位置すなわち最も垂れ下がりや曲がりを起こしやすい部分の位置は二次関数的に変化する。従って、ケース本体２の幅広部２ｂ内でハーネス支持部材４がワイヤハーネス３の上側部分３ａをほぼ全長に渡って支持することで、ワイヤハーネス３の垂れ下がりや曲がりが確実に阻止される。
【００５８】
なお、ワイヤハーネス３の上側部分３ａの垂れ下がりは図１〜図３の如く給電装置１を縦置きに使用した場合に生じ、ワイヤハーネス３の上側部分（往部）３ａの曲がりは給電装置１を横置きにした場合に生じるものであり、曲がりは広い意味で垂れ下がりをも含む概念である。
【００５９】
図１，図３の状態はスライドドアやスライドシート等のスライド構造体（図示せず）を前進端又は後退端までスライドさせた状態である。給電装置１を例えばスライドドアに縦置きに搭載した場合、スライダ６から導出された可動側のハーネス部分２０が渡り空間を経て車両ボディ側に配索され、ケース本体２から導出された固定側のハーネス部分２３はコネクタ２４でスライドドアのワイヤハーネスや補機に接続される。図１は車両左側のスライドドアの全閉状態となり、図２はスライド途中の状態、図３はスライドドアの全開状態となる。
【００６０】
また、給電装置１をスライドシートに適用した場合、例えば給電装置１を縦置きに車両ボディのフロアパネルに搭載し、スライダ６から導出された可動側のハーネス部分２０がスライドシート側のワイヤハーネスや補機に接続され、ケース本体２から導出された固定側のハーネス部分２３が車両ボディの電源側等のワイヤハーネスに接続される。図１の状態はスライドシートの前端（又は後端）位置におけるものであり、図２はスライドシートのスライド途中、図３はスライドシートの後端（又は前端）位置におけるものである。
【００６１】
給電装置１を車両ボディに横置きに搭載する場合、スライダ６から導出されたハーネス部分２０はケースの厚さ方向（上向き）に屈曲してスライドシートに配線される。これらの使用形態は後述の各実施形態においても同様である。
【００６２】
なお、上記第一の実施形態において、スライダ６に対するガイド部１７としての長孔や長溝をケース本体２の上側の壁部１０ではなくベース壁９とカバーとに設け、スライダ６にガイド部に係合する突起やリブ等を設け、カバー側又はベース壁９に設けた長形の開口又はケース本体の上側の壁部１０に設けた長形の開口（長孔）からハーネス部分２０を外部に導出させることも可能である。これは後述する各実施形態においても同様である。また、ハーネス支持部材４の前後一対のガイド板３４，３５に代えて、円弧状のガイド溝を有するガイドブロックを用いることも可能である。
【００６３】
図４〜図６はスライド用給電装置の第二の実施形態を示すものである。
【００６４】
このスライド用給電装置３１は、上記第一の実施形態におけるハーネス支持部材４のガイド板３４，３５（図１）とワイヤハーネス３との摺動抵抗を低減させるべく、ワイヤハーネス３の屈曲部（折り返し部）３ｂに沿ってプーリ３７を配置すると共に、プーリ３７に対向して複数の小ローラ３８を回動自在に設けたことを特徴とするものである。上記第一の実施形態と同様の構成部分には同じ符号を付して詳細な説明を省略する。
【００６５】
このスライド用給電装置３１は、ケース本体２とカバー（図示せず）とで成る長尺のケースと、ケース内に略Ｕ字ないしＪ字状に屈曲して配索される断面円形又は長円形のワイヤハーネス３と、ワイヤハーネス３の一端側（移動端）を保持してケースに沿って長手方向にスライド自在に設けられたスライダ６と、ワイヤハーネス３の屈曲部３ｂの内面にプーリ３７、外面に複数の小ローラ３８をそれぞれ摺動自在に配置し、支持板本体７でワイヤハーネス３を面接触ないし線接触で支持してケースに沿ってスライド自在なハーネス支持部材３６とを備えたものである。
【００６６】
このハーネス支持部材３６は、図４で水平な長方形ないし帯板状の支持板本体７と、支持板本体７の後端部の一側端において垂直に直交して続く連結板３３と、連結板３３の後端側に回動自在に軸支されて円弧状に配置された複数の小ローラ３８と、小ローラ３８に対向して連結板３３の中間部に回動自在に軸支されたプーリ（大ローラ）３７とで構成されるものである。プーリ３７と小ローラ３８とはそれぞれ中心軸３７ａ，３８ａで連結板３３に支持されている。プーリ３７と小ローラ３８とはそれぞれワイヤハーネス３の外径と同程度の幅の外周面を有している。
【００６７】
プーリ３７と複数の小ローラ３８との間にワイヤハーネス３の屈曲部３ｂが挟まれるように摺動自在に係合し、ワイヤハーネス３の上側部分（往部）３ａは支持板本体７の上面に沿ってスライダ６まで延び、ワイヤハーネス３の下側部分３ｃはケース本体２の下側の壁部１２に沿って段差部８の開口２２まで延びている。
【００６８】
図４のスライダ６の前進端位置で、プーリ３７はケース本体２の幅広部２ｂ内で段差部８に近接して位置し、図５のスライダ６の中間ストローク位置で、プーリ３７はケース本体２の幅広部２ｂの長手方向ほぼ中央に位置し、支持板本体７がワイヤハーネス３の上側部分３ａをほぼ全長に渡って支持し、図６のスライダ６の後退端位置で、小ローラ３８がケース本体２の後端壁１４に近接し、プーリ３７は小ローラ３８の手前でワイヤハーネス３の屈曲部３ｂを摺動自在に支持する。
【００６９】
図４から図５に至る間や図６から図５に至る間において、スライダ６の移動に伴ってワイヤハーネス３がスライダ６と一体に移動し、ワイヤハーネス３の移動に伴ってプーリ３７と小ローラ３８が同方向に回転しつつワイヤハーネス３の屈曲部３ｂの内外面との摺動抵抗を低減させ、プーリ３７や小ローラ３８と一体に支持板本体７がワイヤハーネス３を安定に支持しつつ同方向に移動する。
【００７０】
図１で、符号１８はスライダ６に対するガイド部としてのスリット孔、１７は支持板本体７の側端を係合させるガイド部としての長孔又は長溝をそれぞれ示している。
【００７１】
なお、上記第二の実施形態で、プーリ３７に代えて複数の小ローラを円弧状に配置することも可能である。また、ワイヤハーネス３の屈曲部３ｂの内側にプーリ３７、外側に第一の実施形態の円弧状のガイド板３５（図１）を一枚配置したり、屈曲部３ｂの外側に複数の小ローラ３８、内側に円弧状のガイド板３４（図１）を一枚配置することも可能である。また、ガイド板３４，３５に代えて円弧状のガイド溝を成す半円状のガイドブロック（図示せず）を用いることも可能である。また、プーリ３７の軸支構造はプーリ３７の両側面において一対の連結部で連結板３３にプーリ３７を軸支させることも可能である。また、小ローラ３８の数は四つに限らず、ワイヤハーネス３の屈曲部３ｂの上下に計二つ対称に配置したり、屈曲部３ｂの中央に一つ配置することも可能である。
【００７２】
図７〜図９は、本発明に係るスライド用給電装置の第三の実施形態を示すものである。上記各実施形態と同様の構成部分には同じ符号を付して詳細な説明を省略する。
【００７３】
このスライド用給電装置４１は、ケース本体２とカバー（図示せず）とで成る長尺のケースと、ケース内に略Ｕ字ないしＪ字状に屈曲して配索される断面円形又は長円形のワイヤハーネス３と、ワイヤハーネス３の一端側（移動端）を保持してケースに沿って長手方向にスライド自在に設けられたスライダ６と、ワイヤハーネス３の屈曲部（折り返し部）３ｂの内面にプーリ３７、外面にガイド板３５をそれぞれ摺接自在に配置し、支持板本体７でワイヤハーネス３を面接触ないし線接触で支持してケースに沿ってスライド自在なハーネス支持部材４２と、支持板本体７とスライダ６とを連結する引張コイルばね（引張弾性部材）４４とを備えたものである。
【００７４】
プーリ３７とガイド板３５とは、前例同様にワイヤハーネス３の屈曲部３ｂを摺接自在に係合させて、ワイヤハーネス３と一体にハーネス支持部材４２を進退自在とする。引張コイルばね４４は、スライダ６の移動に伴ってハーネス支持部材４２をスライダ６の移動方向に付勢して、ハーネス支持部材４２とワイヤハーネス３の移動を正確に行わせる。
【００７５】
図７の如く、プーリ３７は左右一組の垂直な連結板３３と略Ｌ字状の連結片４５とで中心軸３７ａを回動自在に支持され、連結板３３と連結片４５とは水平な支持板本体７の後端部の両側端に直交して続き、支持板本体７は前記実施形態よりも帯板状に前方に長く延長されて、ケース本体２の幅狭部２ａの前端壁１３に前端を近接させている。連結板３３の後端側の内面に円弧状のガイド板３５が突設されている。支持板本体７と連結板３３と連結片４５とプーリ３７とガイド板３５とでハーネス支持部材４２が構成されている。
【００７６】
支持板本体７の前端上面とスライダ６の下半部６ａとにそれぞれブラケット４６，４７が立設され、両ブラケット４６，４７に引張コイルばね４４の両端のフック部が引っ掛けられて、図７のスライダ６の前進端位置で引張コイルばね４４はほぼ自由長（若干引っ張られた状態）となっている。
【００７７】
図７で、符号１８はスライダ６に対するガイド部としてのスリット孔、１７は支持板本体７に対するガイド部としての長溝ないし長孔、２２はハーネス固定側の開口、８，１１〜１４はケース本体２の周壁である各壁部をそれぞれ示している。
【００７８】
図７のスライダ６の前進端位置でプーリ３７はケース本体２の幅広部２ｂの前端側に位置し、ハーネス支持部材４２の支持板本体７はプーリ３７からケース本体２の幅狭部２ａの前端側にかけて位置し、スライダ６は支持板本体７の前半部上に位置し、支持板本体７の前半の上面に沿って引張ばね４４が位置し、ワイヤハーネス３の上側部分（往部）３ａはケース本体２の幅狭部内で長く延ばされて、全長に渡って支持板本体７の上面で安定に支持されている。
【００７９】
図７の状態からスライダ６が後方に移動することで、図８の如く引張コイルばね４４が伸長しつつ、スライダ６とハーネス支持部材４２の前端７ａとの間の距離（間隔）が拡大する。スライド６と一体的に（半分の移動距離で）ワイヤハーネス３の上側部分３ａが後方に移動し、スライダ６がケース本体２の段差部８の近傍に位置した時点でプーリ３７はケース本体２の幅広部２ｂのほぼ中央に位置する。
【００８０】
引張コイルばね４４の縮まろうとする復元力でスライダ６に対してプーリ３７を含むハーネス支持部材４２が後方すなわちスライダ６の移動方向に弾性的に付勢され、プーリ３７がワイヤハーネス３の屈曲部３ｂを前方に押圧する。これにより、ワイヤハーネス３の上側部分３ａがスライダ６とプーリ３７との間で曲がりなくピンと張った状態に支持され、ワイヤハーネス３の垂れ下がりや曲がりが確実に阻止される。ワイヤハーネス３の上側部分３ａは支持板本体７の後半部の上面で面接触ないし線接触で確実に支持される。これらの相乗作用でスライダ６のスライド動作が引っ掛かり等なくスムーズに行われる。
【００８１】
図８の状態からさらにスライダ６が後方に移動し、図９の如く後退端に位置した時点で、プーリ３７はケース本体２の後端壁１４に近接し、支持板本体７はケース本体２の幅広部２ｂから幅狭部２ａの後半側まで延び、引張コイルばね４４は最大に伸ばされてプーリ３７を強く後方へ付勢し、プーリ３７からケース本体２の下側の壁部１２に沿うワイヤハーネス３の下側部分（復部）３ｃを弛みなく真直に張った状態に支持する。なお、スライダ６から外部に導出するハーネス部分２０は、移動に際して各電線に引張力が作用しないように剛性のプロテクタ等で覆われていることが好ましい。
【００８２】
図９の状態からスライダ６が前方へ移動することで、ワイヤハーネス３の上側部分（往部）３ａが除々に延長され、引張コイルばね４４の全長が除々に短縮されつつプーリ３７が後方に弾性付勢されてワイヤハーネス３の上側部分３ａを後方に押圧してピンと張った状態で除々に延長させる。そして図８のスライダ６の中間位置状態から図７の前進端位置へスムーズに移動する。
【００８３】
なお、上記第三の実施形態において、プーリ３７に代えて第一の実施形態（図１）の円弧状のガイド板３４（図１）を用いたり、図７の後方のガイド板３５に代えて第二の実施形態の複数の小ローラ３８（図４）を設けることも可能である。また、引張コイルばね４４に代えてゴム紐等の弾性部材を用いることも可能である。
【００８４】
また、上記各実施形態において、ケースの前半の幅狭部２ａを幅広部として後半の幅広部２ｂと同一面で連続させることも可能である。この場合、ハーネス導出開口２２はケースの下壁の途中や前端壁に設けられる。また、ストローク量を少し短くしてもよい場合は、ケースの幅狭部２ａを削除し、幅広部２ｂのみで構成させることも可能である。この場合もロングスライド用として適用可能である。
【００８５】
また、上記各実施形態においては、ハーネス支持部材４の水平な支持板本体７を図１０（図２のＡ−Ａ断面図）の如く、ケース本体２とカバー５とで成るケースＣのベース壁９やカバー壁１５の各ガイド溝（ガイド部）１７にスライド自在に係合させたが、例えば図１１に示すスライド用給電装置５１の如く、ケースＣ’の幅広部２ｂにおける短辺側の壁部である上側の壁部１０’や下側の壁部１２側に設けたガイドレール（ガイド部）５０，５２にハーネス支持部材４’の上端部や下端部をスライド自在に係合させる構造とすることも可能である。図１１の給電装置５１のスライド構造以外の構成は上記各実施形態の給電装置１，３１，４１におけると同様である。
【００８６】
図１０の構造においては、水平な支持板本体７の側端７ｃとガイド溝１７の底面との間の隙間寸法Ｌをある程度確保する必要があり、万一、ケースＣが外側から厚さ方向（矢印Ｔ方向）に強く押圧された（潰された）場合に、支持板本体７とガイド溝１７との摺動抵抗が高まり、ハーネス支持部材４のスムーズなスライド動作ができなくなる心配があるが、図１１のスライド構造によれば、たとえケースＣ’が厚さ方向に強く押圧される外力を受けた場合でも、ケースＣ’の上側の壁部１０’や下側の壁部１２といった短辺側の壁部は外力による撓みが極めて少ないから、外力に影響されずにハーネス支持部材４’のスムーズなスライド操作が可能となる。
【００８７】
図１０において、符号３３は垂直な連結板、３４はガイド板、１０は上側の壁部、１２は下側の壁部、１８はスライダ６を係合させる長孔、３はワイヤハーネス、３ａはワイヤハーネスの上側部分、３ｃはワイヤハーネスの下側部分をそれぞれ示している。
【００８８】
図１１の実施形態は図１０に対応したほぼ同じ位置における構造を示しており、ケース本体２’の上側の壁部１０’から断面略Ｌ字状のガイドレール５０が垂下形成され、ガイドレール５０は垂直な基部４８と水平な先端部４９とで成り、基部４８はケース本体２’のベース壁９’と平行に位置し、先端部４９はベース壁９’に向けて上側の壁部１０’と平行に位置し、上側の壁部１０’と先端部４９との間にガイド溝１７’が構成されている。基部４８は上側の壁部１０’の長孔１８（スライダ６に対するガイド部）に隣接し、先端部４９は長孔１８とそれに隣接するカバー５’寄りの上側の壁部１０とに同一平面で位置している。
【００８９】
図１１の実施形態を示す斜視図は図示を省略しているが、例えば図２を用いて説明すると、ガイドレール５０，５２はケースＣ’の幅広部２ｂの長手方向に沿って幅広部２ｂのほぼ全長に渡って真直に形成されている。
【００９０】
図１１のハーネス支持部材４’は帯状の水平な支持板本体７’と、支持板本体７’の後端部側に直交して上下両方向に一体に続く垂直な連結板３３’とを備え、連結板３３’はケース本体２’のベース壁９’の内面のほぼ上端から下端までの高さでベース壁９’に沿って平行に位置し、連結板３３’の高さ方向中間部に支持板本体７’が直交し、連結板３３’の上端に内向きに直交してレール状の水平なスライド係合部５３が一体に設けられ、スライド係合部５３はケース本体２’のガイドレール５０にスライド自在に係合している。
【００９１】
連結板３３’の下端にも水平なスライド係合部５４が設けられ、下端のスライド係合部５４に対してカバー５’の下端部にガイドレール（ガイド部）５２が設けられている。下端のスライド係合部５４は例えば図２の後側のガイド板３５と一体に形成されて剛性（曲がり難さ）を付与されている。下側のガイドレール５２はカバー５’の内面から上下一対平行に突設され、一対のガイドレール５２の間に水平方向のガイド溝５５が構成されている。
【００９２】
なお、下側のガイドレール５２をカバー５’ではなくケース本体２’に設けることも可能である。この場合、カバー側ではなくベース壁９’側にガイドレール５２とスライド係合部５４を設けることも可能である。また、上側のガイドレール５０とスライド係合部５３のみを設け、下側のガイドレール５２とスライド係合部５４は廃除することも可能である。また、下側のガイドレール５２を廃除し、下側の水平なリブ状のスライド係合部５４をスライド部としてカバー５’の垂直なカバー壁１５の内面に摺接自在とすることも可能である。これらガイドレール５０，５２やスライド係合部５３，５４の形状は必要に応じて適宜変更可能である。
【００９３】
何れの場合も、ケースＣ’の撓み易い高さ方向中間部（長辺側の壁部９’，１５の中間部）ではなく、ケースＣ’の短辺側の壁部１０’又は短辺側の壁部１２寄りにガイドレール５０，５２やスライド係合部５３，５４を配設したことで、外力等によってケースＣ’が潰れ方向に押圧された状態でも、ハーネス支持部材４’のスムーズなスライド動作が可能となる。
【００９４】
図１１で、符号３はワイヤハーネス、３ａはワイヤハーネスの上側部分、３ｃは同じく下側部分、３４は前側のガイド板をそれぞれ示している。図２の実施形態と同様の構成部分には同じ符号又は同じ符号にダッシュを付して詳細な説明を省略している。図１１の実施形態は図２に限らず、図４や図７の実施形態にも適用可能である。
【００９５】
図１２は、図１１のガイドレール５０，５２を廃除して、ハーネス支持部材４’にリブ状ないし板状のスライド部８２〜８６を設けた構造のスライド用給電装置８１を示すものである。
【００９６】
図１２の給電装置８１において、ケース本体２”の上側の壁部１０はカバー５”の上側の壁部１０と同一水平面に位置し、両壁部１０の間に長孔１８が位置している。ハーネス支持部材４”は上下方向に長い垂直な連結板３３”と、連結板３３”に直交する水平な支持板本体７’とを備え、連結板３３”はケースＣ”の下側の壁部１２と上側の壁部１０との間隔よりも若干短く形成され、連結板３３”の上端部及び下端部が断面円弧状のスライド部８２，８３となり、且つ上下端の各スライド部８２，８３の近傍で連結板３３”の垂直な外側面にリブ状のスライド部８４，８５が側方に向けて突出形成され、スライド部８４，８５は断面半円状ないし円弧状を呈している。各スライド部８２〜８５はケース長手方向にリブ状ないし板状に延びている。
【００９７】
上下端のスライド部８２，８３と側端のスライド部８４，８５とは直交する方向に突出し、且つ円弧状の滑らかな先端面でケース本体２”の上下の短辺側の壁部１０，１２の内面やベース壁（基板部）９の内面にスムーズに線接触で摺接自在である。
【００９８】
ハーネス支持部材４”の連結板３３”とは反対側の下端において、図１１のスライド係合部５４と同様な形状のスライド部８６が水平に突出形成され、スライド部８６の先端は断面円弧状の滑らかな面となっており、スライド部８６の先端面はカバー５”の垂直なカバー壁（基板部）１５の内面に若干の隙間を存して位置し、カバー壁１５に線接触でスムーズに摺接自在である。
【００９９】
なお、上記各スライド部８２〜８６をリブ状や板状ではなく突起状とすることも可能である。突起状のスライド部（図示せず）は複数並列に形成可能である。また、上下端のスライド部８２，８３を板状のままとし、一側及び／又は他側のスライド係合部８４，８５，８６を突起状としてもよい。
【０１００】
何れの場合においても、ハーネス支持部材４”の各スライド部８２〜８６がケースＣ”の上下端の角部近傍に配置されているから、たとえケースＣ”のベース壁９やカバー壁１５に厚さ方向（潰し方向）の外力が作用した場合でも、何らその影響を受けることなく、ハーネス支持部材４”がスムーズに摺動可能である。
【０１０１】
図１２で符号３はワイヤハーネス、３ａはワイヤハーネスの上側部分、３ｃは下側部分、３４はガイド板をそれぞれ示している。図１２の実施形態は図１０に対応したほぼ同じ位置における断面構造であり、図１２の給電装置８１のスライド構造以外の構成は上記各実施形態の給電装置１，３１，４１におけると同様である。図１２の実施形態は図２に限らず、図４や図７の実施形態にも適用可能である。
【０１０２】
上記各実施形態においては、ワイヤハーネス３の電線部分５７を覆う保護チューブとして合成樹脂製のコルゲートチューブ２６を用いており、図１３に示す如く、コルゲートチューブ２６とハーネス支持部材４の支持板本体７との接触はコルゲートチューブ２６の凸条２６ａの外周面による面接触となっている。
【０１０３】
しかしながら、保護チューブ２６の面接触によってワイヤハーネス３と支持板本体７やガイド板３４，３５（図１）との摺動抵抗（摩擦）が増加することは否めず、この対応策として、図１４の如く、保護チューブとして合成樹脂製の網チューブ（編組チューブ）５６を用い、網チューブ５６の表面側の網の目部分５６ａと支持板本体７との点接触ないし線接触により接触面積を低減させ、それにより摺動抵抗を減らして、ハーネス支持部材４とワイヤハーネス３との低摩擦でスムーズな摺接を行わせることができる。保護チューブ５６の点接触又は線接触により、スライダ６（図１）の移動操作力が低減され、スライドドア等の操作力が低減される。
【０１０４】
網チューブ５６は既存の製品であり、合成樹脂製の繊維が網の目状に織られて、あるいは網の目状に一体化され、複数の網の目部分の頂部５６ａが支持板本体７の表面に点接触又は線接触で接触する。網チューブ５６はコルゲートチューブ２６に較べて柔軟性や屈曲性に富んでいる。コルゲートチューブ２６に較べると剛性が低く、例えば外部との干渉の心配がある部位には不向きであるが、ケースＣ内であれば十分に使用可能である。
【０１０５】
図１４においては保護チューブとして網チューブ５６のみを使用しているが、例えば図１３のコルゲートチューブ２６の上に網チューブ５６を被せて使用することも可能である。この場合、ワイヤハーネスのほぼ全長に渡ってコルゲートチューブ２６を併設してもよく、あるいは、ケースＣから外部に導出される部分側においてコルゲートチューブ２６を併設してもよい。何れの場合にも網チューブ５６の低摩擦摺動によって操作性の向上や摺動摩耗の低減が図られる。これらの保護チューブの構造は図１の実施形態に限らず、図４，図７，図１１の各実施形態においても適用可能である。
【図面の簡単な説明】
【０１０６】
【図１】本発明に係るスライド用給電装置の第一の実施形態を示すスライダ前進端位置の斜視図である。
【図２】同じくスライド用給電装置を示すスライダ中間位置の斜視図である。
【図３】同じくスライド用給電装置を示すスライダ後退端位置の斜視図である。
【図４】本発明に係るスライド用給電装置の第二の実施形態を示すスライダ前進端位置の斜視図である。
【図５】同じくスライド用給電装置を示すスライダ中間位置の斜視図である。
【図６】同じくスライド用給電装置を示すスライダ後退端位置の斜視図である。
【図７】本発明に係るスライド用給電装置の第三の実施形態を示すスライダ前進端位置の斜視図である。
【図８】同じくスライド用給電装置を示すスライダ中間位置の斜視図である。
【図９】同じくスライド用給電装置を示すスライダ後退端位置の斜視図である。
【図１０】給電装置内のハーネス支持部材とケースのスライド構造の一実施形態を示す図２のＡ−Ａ断面図である。
【図１１】ハーネス支持部材とケースのスライド構造の他の実施形態を示す縦断面図である。
【図１２】ハーネス支持部材とケースのスライド構造のその他の実施形態を示す縦断面図である。
【図１３】ワイヤハーネスとハーネス支持部材の接触形態の一例を示す縦断面図である。
【図１４】ワイヤハーネスとハーネス支持部材の接触形態の他の例を示す縦断面図である。
【図１５】従来の給電装置の一形態を示す断面図である。
【図１６】従来のスライド用給電装置を示す斜視図である。
【図１７】従来のスライド用給電装置の問題点の一過程を示す斜視図である。
【図１８】従来のスライド用給電装置の問題点を示す斜視図である。
【符号の説明】
【０１０７】
１，３１，４１，５１，８１  スライド用給電装置
２，２’，２”              ケース本体
２ａ                        幅狭部
２ｂ                        幅広部
３                          ワイヤハーネス
３ｂ                        屈曲部（折り返し部）
４，４’，４”，３６，４２  ハーネス支持部材
６                          スライダ
７，７’                    支持板本体
３４，３５                  ガイド板
３７                        プーリ
３８                        小ローラ
４４                        引張コイルばね（引張弾性部材
５０，５２                  ガイドレール（ガイド部）
５３，５４                  スライド係合部
５６                        網チューブ
８２〜８６                  スライド部
Ｃ，Ｃ’，Ｃ”              ケース
【図１】
2006074980.tif 000003
【図２】
2006074980.tif 000004
【図３】
2006074980.tif 000005
【図４】
2006074980.tif 000006
【図５】
2006074980.tif 000007
【図６】
2006074980.tif 000008
【図７】
2006074980.tif 000009
【図８】
2006074980.tif 000010
【図９】
2006074980.tif 000011
【図１０】
2006074980.tif 000012
【図１１】
2006074980.tif 000013
【図１２】
2006074980.tif 000014
【図１３】
2006074980.tif 000015
【図１４】
2006074980.tif 000016
【図１５】
2006074980.tif 000017
【図１６】
2006074980.tif 000018
【図１７】
2006074980.tif 000019
【図１８】
2006074980.tif 000020